【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
音声信号の低域成分を抽出するローパスフィルター処理と、
前記ローパスフィルター処理を行った前記音声信号が所定の信号レベル以上である場合に、前記ローパスフィルター処理を行った前記音声信号を圧縮する圧縮処理と、
音声信号の高域成分を抽出するハイパスフィルター処理と、
前記圧縮処理を行った前記音声信号と、前記ハイパスフィルター処理を行った前記音声信号と、を合成する合成処理と、を行うことを特徴とする信号処理装置。
【請求項２】
受け付けられたボリューム値に基づいて、前記ハイパスフィルター処理を行った前記音声信号を減衰する第２ボリューム処理をさらに行い、
前記合成処理において、前記圧縮処理を行った前記音声信号と、前記第２ボリューム処理を行った前記音声信号と、を合成することを特徴とする請求項１に記載の信号処理装置。
【請求項３】
受け付けられたボリューム値に基づいて、音声信号を減衰する第１ボリューム処理をさらに行い、
前記ローパスフィルター処理において、前記第１ボリューム処理を行った前記音声信号の低域成分を抽出し、
前記ハイパスフィルター処理において、前記第１ボリューム処理を行った前記音声信号の高域成分を抽出することを特徴とする請求項１又は２に記載の信号処理装置。
【請求項４】
受け付けられたボリューム値が所定値以下の場合、前記第１ボリューム処理による減衰量が変化し、前記第２ボリューム処理による減衰量は一定であり、
受け付けられたボリューム値が前記所定値を超える場合、前記第１ボリューム処理による減衰量がゼロであり、前記第２ボリューム処理による減衰量が変化することを特徴とする請求項３に記載の信号処理装置。
【請求項５】
音声信号の低域成分を抽出するローパスフィルター処理と、
前記ローパスフィルター処理を行った前記音声信号が所定の信号レベル以上である場合に、前記ローパスフィルター処理を行った前記音声信号を圧縮する圧縮処理と、
音声信号の高域成分を抽出するハイパスフィルター処理と、
音声信号の、前記低域成分と前記高域成分との間の周波数帯域成分を抽出するバンドパスフィルター処理と、
前記圧縮処理を行った前記音声信号と、前記バンドパスフィルター処理を行った前記音声信号と、を合成する合成処理と、を行うことを特徴とする信号処理装置。
【請求項６】
受け付けられたボリューム値に基づいて、前記バンドパスフィルター処理を行った前記音声信号を減衰する第２ボリューム処理をさらに行い、
前記合成処理において、前記圧縮処理を行った前記音声信号と、前記第２ボリューム処理を行った前記音声信号と、を合成することを特徴とする請求項５に記載の信号処理装置。
【請求項７】
受け付けられたボリューム値に基づいて、音声信号を減衰する第１ボリューム処理をさらに行い、
前記ローパスフィルター処理において、前記第１ボリューム処理を行った前記音声信号の低域成分を抽出し、
前記ハイパスフィルター処理において、前記第１ボリューム処理を行った前記音声信号の高域成分を抽出し、
前記バンドパスフィルター処理において、前記第１ボリューム処理を行った前記音声信号の、前記低域成分と前記高域成分との間の周波数帯域成分を抽出することを特徴とする請求項５又は６に記載の信号処理装置。
【請求項８】
受け付けられたボリューム値に基づいて、前記ハイパスフィルター処理を行った前記音声信号を減衰する第３ボリューム処理をさらに行うことを特徴とする請求項５〜７のいずれか１項に記載の信号処理装置。
【請求項９】
受け付けられたボリューム値が所定値以下の場合、前記第１ボリューム処理による減衰量が変化し、前記第２ボリューム処理、及び、前記第３ボリューム処理による減衰量は一定であり、
受け付けられたボリューム値が前記所定値を超える場合、前記第１ボリューム処理による減衰量がゼロであり、前記第２ボリューム処理、及び、前記第３ボリューム処理による減衰量が変化することを特徴とする請求項８に記載の信号処理装置。
【請求項１０】
前記ローパスフィルター処理を行った前記音声信号の低域成分をブーストする低域イコライジング処理をさらに行い、
前記低域イコライジング処理を行った前記音声信号に、前記圧縮処理を行うことを特徴とする請求項４又は９に記載の信号処理装置。
【請求項１１】
前記ローパスフィルター処理を行った前記音声信号を減衰する減衰処理をさらに行い、
前記減衰処理を行った前記音声信号に、前記低域イコライジング処理を行うことを特徴とする請求項１０に記載の信号処理装置。
【請求項１２】
前記減衰処理による減衰量は、受け付けられたボリューム値が、前記所定値の場合における、前記第１ボリューム処理による減衰量と、前記第２ボリューム処理による減衰量と、の差の値に等しいことを特徴とする請求項１１に記載の信号処理装置。
【請求項１３】
スピーカーの特性に合わせて前記音声信号の周波数特性を調整するスピーカー調整イコライジング処理をさらに行い、
前記スピーカー調整イコライジング処理を行った音声信号に、前記第１ボリューム処理を行うことを特徴とする請求項１１又は１２に記載の信号処理装置。
【請求項１４】
左音声信号に０．５を掛けた音声信号と、右音声信号に０．５を掛けた音声信号と、を合成するモノラル合成処理をさらに行い、
前記ローパスフィルター処理において、前記モノラル合成処理を行った音声信号の低域成分を抽出し、
前記圧縮処理において、前記ローパスフィルター処理を行った前記音声信号が所定の信号レベル以上である場合に、前記ローパスフィルター処理を行った前記音声信号を圧縮し、
前記ハイパスフィルター処理において、左右の音声信号の高域成分を抽出し、
前記バンドパスフィルター処理において、左右の音声信号の、前記低域成分と前記高域成分との間の周波数帯域成分を抽出し、
前記合成処理において、前記圧縮処理を行った前記音声信号と、前記バンドパスフィルター処理を行った左音声信号と、を合成し、前記圧縮処理を行った前記音声信号と、前記バンドパスフィルター処理を行った右音声信号と、を合成することを特徴とする請求項５に記載の信号処理装置。
【請求項１５】
受け付けられたボリューム値に基づいて、前記バンドパスフィルター処理を行った前記左右の音声信号を減衰する第２ボリューム処理をさらに行い、
前記合成処理において、前記圧縮処理を行った前記音声信号と、前記第２ボリューム処理を行った左音声信号と、を合成し、前記圧縮処理を行った前記音声信号と、前記第２ボリューム処理を行った右音声信号と、を合成することを特徴とする請求項１４に記載の信号処理装置。
【請求項１６】
受け付けられたボリューム値に基づいて、左右の音声信号を減衰する第１ボリューム処理をさらに行い、
前記モノラル合成処理において、前記第１ボリューム処理を行った左音声信号に０．５を掛けた音声信号と、前記第１ボリューム処理を行った右音声信号に０．５を掛けた音声信号と、を合成し、
前記ハイパスフィルター処理において、前記第１ボリューム処理を行った前記左右の音声信号の高域成分を抽出し、
前記バンドパスフィルター処理において、前記第１ボリューム処理を行った前記左右の音声信号の、前記低域成分と前記高域成分との間の周波数帯域成分を抽出することを特徴とする請求項１４又は１５に記載の信号処理装置。
【請求項１７】
受け付けられたボリューム値に基づいて、前記ハイパスフィルター処理を行った前記左右の音声信号を減衰する第３ボリューム処理をさらに行うことを特徴とする請求項１４〜１６のいずれか１項に記載の信号処理装置。
【請求項１８】
前記第３ボリューム処理が行われた前記左右の音声信号は、それぞれ、ツイーターに出力され、
前記合成処理が行われた前記音声信号は、２つのウーファーに出力されることを特徴とする請求項１７に記載の信号処理装置。
【請求項１９】
請求項１〜１８のいずれか１項に記載の信号処理装置と、
前記信号処理装置からの前記音声信号が入力されるスピーカーと、
を備えることを特徴とするスピーカー装置。
【請求項２０】
音声信号の低域成分を抽出するローパスフィルター処理と、
前記ローパスフィルター処理を行った前記音声信号が所定の信号レベル以上である場合に、前記ローパスフィルター処理を行った前記音声信号を圧縮する圧縮処理と、
音声信号の高域成分を抽出するハイパスフィルター処理と、
前記圧縮処理を行った前記音声信号と、前記ハイパスフィルター処理を行った前記音声信号と、を合成する合成処理と、を行うことを特徴とする信号処理方法。
【請求項２１】
音声信号の低域成分を抽出するローパスフィルター処理と、
前記ローパスフィルター処理を行った前記音声信号が所定の信号レベル以上である場合に、前記ローパスフィルター処理を行った前記音声信号を圧縮する圧縮処理と、
音声信号の高域成分を抽出するハイパスフィルター処理と、
音声信号の、前記低域成分と前記高域成分との間の周波数帯域成分を抽出するバンドパスフィルター処理と、
前記圧縮処理を行った前記音声信号と、前記バンドパスフィルター処理を行った前記音声信号と、を合成する合成処理と、を行うことを特徴とする信号処理方法。
【請求項２２】
左音声信号に０．５を掛けた音声信号と、右音声信号に０．５を掛けた音声信号と、を合成するモノラル合成処理をさらに行い、
前記ローパスフィルター処理において、前記モノラル合成処理を行った音声信号の低域成分を抽出し、
前記圧縮処理において、前記ローパスフィルター処理を行った前記音声信号が所定の信号レベル以上である場合に、前記ローパスフィルター処理を行った前記音声信号を圧縮し、
前記ハイパスフィルター処理において、左右の音声信号の高域成分を抽出し、
前記バンドパスフィルター処理において、左右の音声信号の、前記低域成分と前記高域成分との間の周波数帯域成分を抽出し、
前記合成処理において、前記圧縮処理を行った前記音声信号と、前記バンドパスフィルター処理を行った左音声信号と、を合成し、前記圧縮処理を行った前記音声信号と、前記バンドパスフィルター処理を行った右音声信号と、を合成することを特徴とする請求項２１に記載の信号処理方法。